(57)【要約】      （修正有）【課題】シンプルで効率的な構造であって、レンズの曇り発生を防止できるだけではなく、レンズ上の異物を除去することができるゴーグルを提供する。【解決手段】ゴーグル１００は、レンズ１１０を支持するゴーグルフレーム１２０と、レンズ１１０の上部領域において、ゴーグルフレーム１２０に設けられ、レンズ１１０の内部空間に位置される空気を吸入してレンズ１１０の外表面に噴射することによって、レンズ１１０の曇りを防止しながら、レンズ１１０の外表面に付着する異物を除去する曇り防止用異物除去部１３０と、を含む。【選択図】図１
0003220496.tif 000002
【実用新案登録請求の範囲】
【請求項１】
レンズを支持するゴーグルフレームと、および、
前記レンズの上部領域において、前記ゴーグルフレームに設けられ、前記レンズの内部空間に位置される空気を吸入して前記レンズの外表面に噴射することによって、前記レンズの曇りを防止しながら、前記レンズの外表面に付着する異物を除去する曇り防止用異物除去部と、を含み、
前記曇り防止用異物除去部は、
前記ゴーグルフレームの内側に形成される開口部に配置され、前後面に多数の第１及び第２通気孔が形成されるファンダクトと、
前記ファンダクト内に設けられる空気循環ファンと、
前記空気循環ファンを回転させるファンモーターと、
前記ゴーグルフレーム内に設けられ、前記ファンモーターに動力を提供するバッテリーと、および、
前記ゴーグルフレームの内外側にかけて配置され、一側は前記ファンダクトを覆うように配置され、他側は前記ゴーグルフレームの前面に突出され、突出端部が前記レンズの外表面に向かう空気循環用ダクトと、を含むことを特徴とするゴーグル。
【請求項２】
前記ゴーグルフレームは、前記曇り防止用異物除去部が配置される上部が下部よりも厚く製作され、
前記ゴーグルフレームの上部には、前記バッテリーの交替のためのドアが設けられることを特徴とする請求項１に記載のゴーグル。
【請求項３】
前記曇り防止用異物除去部は、
前記バッテリーと電気的に連結されるが、前記ゴーグルフレームに設けられる充電用ＵＳＢ端子をさらに含むことを特徴とする請求項１に記載のゴーグル。
【請求項４】
前記空気循環用ダクトの内部には、空気循環をガイドするガイドプレートが設けられることを特徴とする請求項１に記載のゴーグル。
【考案の詳細な説明】
【技術分野】
【０００１】
本考案は、ゴーグルに関し、より具体的には、シンプルで効率的な構造であって、レンズの曇り発生を防止できるだけではなく、レンズ上の異物を除去することができるゴーグルに関する。
【背景技術】
【０００２】
ゴーグル（Ｇｏｇｇｌｅｓ）は、各種産業現場で広く使用される。これらのゴーグルは、各種作業時に発生される光線と有害物質から目を保護する役割を果たす。
【０００３】
一方、通常の光線から目を保護する程度の機能のみを提供するゴーグルは、その内面が作業者の顔と密着される必要がない。
【０００４】
しかしながら、光線から目を保護する機能に加えて、有害な有害物質を扱う場合であれば、目が外気から密閉され得るゴーグル、例えば、水泳選手たちが着用するスイミング用ゴーグルのように密着可能なゴーグルが必要である。
【０００５】
しかし、後者のように顔に密着されて着用されるゴーグルは、内外部の温度差によってゴーグルレンズの内側表面に湿気が発生して、すなわち、曇りが発生して作業者の視界を遮る問題点が惹起される。
【０００６】
このようにゴーグルに曇りが発生すると、作業中に事故が発生し得ることはもちろん、精密作業が不可能なだけではなく、作業効率も減少され得る。
【０００７】
よって、最近では、このような曇りを防止するための様々な手段を備えたゴーグルが開発されて使用されているが、構造対比その効率が落ちるという点を考慮して見るとき、曇りを防止できる新概念のゴーグルに対する技術開発が必要な実情である。
【先行技術文献】
【特許文献】
【０００８】
【特許文献１】韓国特出願第１０−２０１３−０１５２００３号明細書
【特許文献２】韓国特出願第１０−２０１４−７０２４５６２号明細書
【特許文献３】韓国実用新案出願第２０−２００３−００３８２２６号明細書
【特許文献４】韓国実用新案出願号第２０−２０１５−０００４５１０号明細書
【考案の概要】
【考案が解決しようとする課題】
【０００９】
本考案の目的は、シンプルで効率的な構造であって、レンズの曇り発生を防止できるだけではなく、レンズ上の異物を除去することができるゴーグルを提供することである。
【課題を解決するための手段】
【００１０】
前記目的は、レンズを支持するゴーグルフレームと、前記レンズの上部領域において前記ゴーグルフレームに設けられ、前記レンズの内部空間に位置される空気を吸入して前記レンズの外表面に噴射することによって、前記レンズの曇りを防止しながら、前記レンズの外表面に付着する異物を除去する曇り防止用異物除去部と、を含むことを特徴とするゴーグルによって達成される。
【００１１】
前記曇り防止用異物除去部は、前記ゴーグルフレームの内側に形成される開口部に配置されるが、前後面に多数の第１及び第２通気孔が形成されるファンダクトと、前記ファンダクト内に設けられる空気循環ファンと、前記空気循環ファンを回転させるファンモーターと、前記ゴーグルフレーム内に設けられ、前記ファンモーターに動力を提供するバッテリーと、前記ゴーグルフレームの内外側にかけて配置され、一側は前記ファンダクトを覆うように配置され、他側は前記ゴーグルフレームの前面に突出され、突出端部が前記レンズの外表面に向かう空気循環用ダクトと、を含むことができる。
【００１２】
前記ゴーグルフレームは、前記曇り防止用異物除去部が配置される上部が下部よりも厚く製作され、前記ゴーグルフレームの上部には、前記バッテリーの交替のためのドアが設けられることができる。
【００１３】
前記曇り防止用異物除去部は、前記バッテリーと電気的に連結されるが、前記ゴーグルフレームに設けられる充電用ＵＳＢ端子をさらに含むことができる。
【００１４】
前記空気循環用ダクトの内部には、空気循環をガイドするガイドプレートが設けられることができる。
【考案の効果】
【００１５】
本考案によると、シンプルで効率的な構造であって、レンズの曇り発生を防止できるだけではなく、レンズ上の異物を除去することができる効果がある。
【図面の簡単な説明】
【００１６】
【図１】本考案の第１実施例によるゴーグルの正面図である。
【図２】図１のＡ−Ａ線に沿った概略的な断面図である。
【図３】図２のＢ領域の拡大図である。
【図４】本考案の第２実施例によるゴーグルの要部拡大構造図である。
【図５】本考案の第３実施例によるゴーグルの要部拡大構造図である。
【図６】本考案の第４実施例によるゴーグルの要部拡大構造図である。
【図７】本考案の第５実施例によるゴーグルの要部拡大構造図である。
【図８】多孔プレートの平面図である。
【考案を実施するための形態】
【００１７】
以下では、添付した図面を参考にして、本考案の実施例について本考案が属する技術分野における通常の知識を有する者が容易に実施できるように詳細に説明する。
【００１８】
しかし、本考案に関する説明は、構造的ないし機能的説明のための実施例に過ぎないので、本考案の権利範囲は、本文において説明された実施例によって制限されるものと解釈されてはならない。
【００１９】
例えば、実施例などは、様々な変更が可能であり、様々な形態を持つことができるので、本考案の権利範囲は、技術的思想を実現することができる均等物などを含むものと理解すべきである。
【００２０】
また、本考案で提示された目的または効果は、特定の実施例がこれをすべて含まなければならないとか、そのような効果のみを含まなければならないという意味ではないので、本考案の権利範囲は、これによって制限されるものと理解されてはならないだろう。
【００２１】
本明細書において、本実施例は、本考案の開示が完全になるようにし、本考案が属する技術分野における通常の知識を有する者に考案のカテゴリを完全に知らせるために提供されるのである。そして、本考案は、請求項のカテゴリによって定義されるだけである。
【００２２】
従って、いくつかの実施例において、よく知られている構成要素、よく知られている動作及びよく知られている技術などは、本考案が曖昧に解釈されることを避けるために具体的に説明されない。
【００２３】
一方、本考案で記述される用語の意味は、辞書的の意味に制限されず、次のように理解されるべきだろう。
【００２４】
ある構成要素が他の構成要素に“連結されて”いると言及されたときには、その他の構成要素に直接的に連結されることもできるが、中間に他の構成要素が存在することもできると理解されるべきである。反面に、ある構成要素が他の構成要素に“直接連結されて”いると言及されたときには、中間に他の構成要素が存在しないことと理解されるべきである。一方、構成要素など間の関係を説明する他の表現など、すなわち“〜の間に”と“すぐ〜の間に”または“〜に隣接する”と“〜に直接隣接する”なども同様に解釈されるべきである。
【００２５】
単数の表現は、文脈上明らかに異なるように意味しない限り、複数の表現を含むものと理解されるべきであり、“含む”または“有する”などの用語は、説示された特徴、数字、段階、動作、構成要素、部分品またはこれらを組み合わせたものが存在することを指定しようとするものであり、一つまたはその以上の他の特徴や数字、段階、動作、構成要素、部分品またはこれらを組み合わせたものなどの存在または付加可能性をあらかじめ排除しないものと理解されるべきである。
【００２６】
ここで、使用されるすべての用語などは、異なりに定義されない限り、本考案が属する分野における通常の知識を有する者によって一般的に理解されるものと同一の意味を持つ。
【００２７】
一般的に使用される辞書に定義されている用語などは、関連技術の文脈上持つ意味と一致するものと解釈されるべきであり、本考案において明らかに定義しない限り、理想的または過度に形式的な意味を持つものと解釈され得ない。
【００２８】
以下、図面を参照して本考案の実施例を詳細に説明する。実施例の説明のうち、同一の構成に対しては同一の参照符号を付与することにし、場合によって同一の参照符号に対する説明は省略することにする。
【００２９】
図１は、本考案の第１実施例によるゴーグルの正面図、図２は、図１のＡ−Ａ線に沿った概略的な断面図、そして、図３は、図２のＢ領域の拡大図である。
【００３０】
これらの図を参照すると、本実施例によるゴーグル１００は、シンプルで効率的な構造であって、レンズ１１０の曇り発生を防止できるだけではなく、レンズ１１０上の異物を除去することができるようにしたものであって、ゴーグルフレーム１２０と、曇り防止用異物除去部１３０と、を含むことができる。
【００３１】
ゴーグルフレーム１２０は、レンズ１１０を支持する構造物である。通常的に、レンズ１１０とは異なり、ゴーグルフレーム１２０は、プラスチックの射出物であり得る。
【００３２】
このようなゴーグルフレーム１２０は、レンズ１１０を保護するために、レンズ１１０の周りに配置されるが、本実施例においてゴーグルフレーム１２０は、曇り防止用異物除去部１３０が配置される上部が下部よりも厚く製作される。従って、曇り防止用異物除去部１３０の設置及びメンテナンスが便利である。
【００３３】
一方、曇り防止用異物除去部１３０は、レンズ１１０の上部領域においてゴーグルフレーム１２０に設けられ、レンズ１１０の内部空間に位置される空気を吸入して（図３のＰ１矢印参照）レンズ１１０の外表面に噴射することによって（図３のＰ２矢印参照）、レンズ１１０の曇りを防止しながら、レンズ１１０の外表面に付着する異物を除去する役割を果たす。
【００３４】
すなわち、先にも記述したように、ゴーグル１００を長時間着用する場合、ゴーグル１００内外の温度差によってゴーグル１００内部に曇りが発生され得るが、このように曇りが発生されると、作業者の視界を遮ることになるので、作業中に事故が発生し得ることはもちろん、精密作業が不可能なだけでなく、作業効率も減少され得る。
【００３５】
従って、本実施例では、曇り防止用異物除去部１３０を設けて、レンズ１１０に曇りが発生されないようにしているのである。
【００３６】
それだけでなく、本実施例の場合、曇り防止用異物除去部１３０がレンズ１１０の外表面に向かって空気を噴射するようにすることによって、レンズ１１０の外表面にほこりなどの異物が付着しないようにするとか、あるいは付着した異物を除去するようにしている。特に、レンズ１１０の外表面に噴射される空気は、レンズ１１０の内部空間を介して吸入された空気が使用されるので、構造の具現が難しくない。
【００３７】
このような役割を担当する曇り防止用異物除去部１３０は、ファンダクト１４０と、空気循環ファン１５１と、ファンモーター１５３と、バッテリー１５５と、空気循環用ダクト１６０と、を含むことができる。参考に、本実施例の場合、曇り防止用異物除去部１３０が一対に設けられているが、曇り防止用異物除去部１３０は、一つの長いものが適用されることもできるだろう。
【００３８】
ファンダクト１４０は、ダクト（ｄｕｃｔ）形状の構造物であって、ゴーグルフレーム１２０の内側に形成される開口部１２１に配置され得る。
【００３９】
これらのファンダクト１４０の前後面には、多数の第１及び第２通気孔１４１、１４２が形成される。従って、空気循環ファン１５１が稼働されると、レンズ１１０の内部空間に位置される空気は、図３のＰ１矢印方向に沿ってファンダクト１４０の第１及び第２通気孔１４１、１４２などを経て空気循環用ダクト１６０に向かうことができる。
【００４０】
空気循環ファン１５１は、ファンダクト１４０内に設けられるファン（ｆａｎ）である。前述したように、回転時にレンズ１１０の内部空間に位置される空気が空気循環用ダクト１６０に向かうように空気の流れを形成させる。
【００４１】
ファンモーター１５３は、空気循環ファン１５１を回転させる役割を果たし、バッテリー１５５は、ゴーグルフレーム１２０内に設けられ、ファンモーター１５３に動力を提供する役割を果たす。
【００４２】
バッテリー１５５は、交替が可能な着脱式であることが好ましいが、このような場合には、ゴーグルフレーム１２０の上部には、バッテリー１５５の交替のためのドア１２３が設けられることができる。ドア１２３は、回転式でもスライディング式でもよい。
【００４３】
空気循環用ダクト１６０は、ゴーグルフレーム１２０の内外側にかけて配置されるが、一側はファンダクト１４０を覆うように配置され、他側はゴーグルフレーム１２０の前面に突出され、突出端部１６１がレンズ１１０の外表面に向かうダクトである。
【００４４】
このような構成を有するゴーグル１００の作用を説明すると、次の通りである。
【００４５】
ファンモーター１５３によって空気循環ファン１５１が稼働されると、レンズ１１０の内部空間に位置される空気は、図３のＰ１矢印方向に沿ってファンダクト１４０の第１及び第２通気孔１４１、１４２などを経て空気循環用ダクト１６０に向かうことができる。従って、レンズ１１０の曇りを防止することができる。
【００４６】
空気循環用ダクト１６０に向かう空気は、レンズ１１０の外表面に向かう空気循環用ダクト１６０の突出端部１６１を介して噴射され、レンズ１１０の外表面に向かうことになる。従って、レンズ１１０の外表面に付着する異物を除去するとか、異物がレンズ１１０の外表面に付着することを阻止することができる。
【００４７】
以上説明したような構造と作用を有する本実施例によると、シンプルで効率的な構造であって、レンズの曇り発生を防止できるだけではなく、レンズ上の異物を除去することができるようになる。
【００４８】
図４は、本考案の第２実施例によるゴーグルの要部拡大構造図である。
【００４９】
この図を参照すると、本実施例によるゴーグル２００も、ゴーグルフレーム２２０と、曇り防止用異物除去部２３０と、を含むことができる。
【００５０】
このような構造において、曇り防止用異物除去部２３０は、バッテリー１５５と電気的に  連結されるが、ゴーグルフレーム２２０に設けられる充電用ＵＳＢ端子２８１を含むことができる。
【００５１】
このように、充電用ＵＳＢ端子２８１が設けられる場合には、充電用ＵＳＢ端子２８１とバッテリー１５５は、充電ＰＣＢ２８２を介して連結されるべきであるだろう。
【００５２】
本実施例が適用されても、シンプルで効率的な構造であって、レンズ１１０の曇り発生を防止できるだけではなく、レンズ１１０上の異物を除去することができる。
【００５３】
図５は、本考案の第３実施例によるゴーグルの要部拡大構造図である。
【００５４】
この図を参照すると、本実施例によるゴーグル３００も、ゴーグルフレーム１２０と、曇り防止用異物除去部３３０と、を含むことができる。
【００５５】
このような構造において、空気循環用ダクト１６０の内部には、空気循環をガイドするガイドプレート３６５が設けられる。
【００５６】
本実施例のように、空気循環用ダクト１６０内にガイドプレート３６５が設けられると、レンズ１１０内の空気を渦流なく、レンズ１１０の外表面にスムーズにガイドすることができて、円滑な空気の流れを導き出すことができる。
【００５７】
本実施例が適用されても、シンプルで効率的な構造であって、レンズ１１０の曇り発生を防止できるだけではなく、レンズ１１０上の異物を除去することができる。
【００５８】
図６は、本考案の第４実施例によるゴーグルの要部拡大構造図である。
【００５９】
この図を参照すると、本実施例によるゴーグル４００も、ゴーグルフレーム１２０と、曇り防止用異物除去部４３０と、を含むことができる。
【００６０】
このような構造において、空気循環用ダクト４６０の突出端部４６１には、テレスコピックバー形態で長さ伸長あるいは縮小される長さ伸長用ノズル４６２がさらに連結される。長さ伸長用ノズル４６２は、手動式であることもでき、それともモーターなどによる動力式構造であることもできる。
【００６１】
このように、長さ伸長用ノズル４６２が空気循環用ダクト４６０の突出端部４６１にさらに設けられる場合には、レンズ１１０との接触の間隔を狭くすることができるので、レンズ１１０の外表面に付着する異物を除去するのにより効果的であり得る。
【００６２】
本実施例が適用されても、シンプルで効率的な構造であって、レンズ１１０の曇り発生を防止できるだけではなく、レンズ１１０上の異物を除去することができる。
【００６３】
図７は、本考案の第５実施例によるゴーグルの要部拡大構造図であり、図８は、多孔プレートの平面図である。
【００６４】
これらの図を参照すると、本実施例によるゴーグル５００も、ゴーグルフレーム１２０と、曇り防止用異物除去部５３０と、を含むことができる。
【００６５】
このような構造において、曇り防止用異物除去部５３０をなす空気循環用ダクト１６０の突出端部１６１には、多孔プレート５６５が結合される。多孔プレート５６５には、多数の通気孔５６５ａが形成されるが、空気が通気孔５６５ａなどを経て吐出される過程で空気圧を強めることができるので、レンズ１１０上の異物を除去するのにより卓越できる。
【００６６】
本実施例が適用されても、シンプルで効率的な構造であって、レンズ１１０の曇り発生を防止できるだけではなく、レンズ１１０上の異物を除去することができる。
【００６７】
このように本考案は、記載された実施例に限定されるのではなく、本考案の思想及び範囲を逸脱せずに、様々に修正及び変形できることは、この技術の分野における通常の知識を有する者にとって自明である。従って、そのような修正例または変形例などは、本考案の請求の範囲に属するなければならないだろう。
【符号の説明】
【００６８】
１００              ゴーグル
１１０            レンズ
１２０            ゴーグルフレーム
１２１            バッテリー
１２３            ドア
１３０            曇り防止用異物除去部
１４０            ファンダクト
１４１、１４２    第１及び第２通気孔
１５１            空気循環ファン
１５３            ファンモーター
１５５            バッテリー
１６０            空気循環用ダクト
１６１            突出端部
【図１】
0003220496.tif 000003
【図２】
0003220496.tif 000004
【図３】
0003220496.tif 000005
【図４】
0003220496.tif 000006
【図５】
0003220496.tif 000007
【図６】
0003220496.tif 000008
【図７】
0003220496.tif 000009
【図８】
0003220496.tif 000010